(57)【要約】【課題】クッション性およびフィット性が高く、しかも通気性の高い背当て板，肩掛けベルトおよびそれらを備えたランドセルの提供。【解決手段】下地ボード１の外面側の所要部分に、内部に空隙を有する立体メッシュ素材αを所要形状に裁断してなる支持層３を重合配置し、それらをカバーシート４で外面側から被覆することによって、外面に膨出部７を形成してなる背当て板Ａ。カバーシート１０と表地１１との間に、クッション層８を挟み込むとともに、そのクッション層８と上記カバーシート１０との間の所要位置に、内部に空隙を有する立体メッシュ素材αを所要形状に裁断してなる支持層９を挟み込むことによって、上記カバーシート１０の側に膨出部１２を形成してなる肩掛けベルトＢ。それら背当て板Ａおよび／または肩掛けベルトＢを備えたランドセル。【選択図】  図１
2004357893.tif 000002
【特許請求の範囲】
【請求項１】
下地ボードの外面側の所要部分に、内部に空隙を有する立体メッシュ素材を所要形状に裁断してなる支持層を重合配置し、それらをカバーシートで外面側から被覆して、外面に膨出部を形成した背当て板を備えてなることを特徴とするランドセル。
【請求項２】
カバーシートと表地との間に、クッション層を挟み込むとともに、そのクッション層と上記カバーシートとの間の所要位置に、内部に空隙を有する立体メッシュ素材を所要形状に裁断してなる支持層を挟み込むことによって、上記カバーシートの側に膨出部を形成した肩掛けベルトを備えてなることを特徴とするランドセル。
【請求項３】
下地ボードの外面側の所要部分に、内部に空隙を有する立体メッシュ素材を所要形状に裁断してなる支持層を重合配置し、それらをカバーシートで外面側から被覆して、外面に膨出部を形成した背当て板と、カバーシートと表地との間に、クッション層を挟み込むとともに、そのクッション層と上記カバーシートとの間の所要位置に、内部に空隙を有する立体メッシュ素材を所要形状に裁断してなる支持層を挟み込むことによって、上記カバーシートの側に膨出部を形成した肩掛けベルトとを備えてなることを特徴とするランドセル。
【請求項４】
上記立体メッシュ素材が、表層と裏層の間に多数の弾性繊維を縦方向に立ち上げた状態で編み込んでなることを特徴とする請求項１，２または３記載のランドセル。
【請求項５】
下地ボードの外面側の所要部分に、内部に空隙を有する立体メッシュ素材を所要形状に裁断してなる支持層を重合配置し、それらをカバーシートで外面側から被覆することによって、外面に膨出部を形成してなることを特徴とするランドセルの背当て板。
【請求項６】
上記膨出部が、左右両側部分に形成されていることを特徴とする請求項５記載のランドセルの背当て板。
【請求項７】
上記膨出部が、左右両側部分および下辺縁に、全体として略Ｕ字状にして形成されていることを特徴とする請求項５記載のランドセルの背当て板。
【請求項８】
上記下地ボードと支持層との間にクッション層を重合していることを特徴とする請求項５，６または７記載のランドセルの背当て板。
【請求項９】
上記カバーシートの、上記膨出部に対応する箇所に所要数の透孔を開設していることを特徴とする請求項５，６，７または８記載のランドセルの背当て板。
【請求項１０】
上記支持層とカバーシートとの間にクッション層を重合していることを特徴とする請求項５，６または７記載のランドセルの背当て板。
【請求項１１】
上記立体メッシュ素材が、表層と裏層の間に多数の弾性繊維を縦方向に立ち上げた状態で編み込んでなることを特徴とする請求項５，６，７，８，９または１０記載のランドセルの背当て板。
【請求項１２】
カバーシートと表地との間に、クッション層を挟み込むとともに、そのクッション層と上記カバーシートとの間の所要位置に、内部に空隙を有する立体メッシュ素材を所要形状に裁断してなる支持層を挟み込むことによって、上記カバーシートの側に膨出部を形成してなることを特徴とするランドセルの肩掛けベルト。
【請求項１３】
上記クッション層が、幅広部の長手方向両側に、幅細の背環巻回部と、同じく幅細の小ベルト緊締部とを延長形成した帯状のもので、上記支持層が、該クッション層の上記幅広部に重合配置されていることを特徴とする請求項１２記載のランドセルの肩掛けベルト。
【請求項１４】
上記カバーシートの、上記膨出部に対応する箇所に所要数の透孔を開設していることを特徴とする請求項１２または１３記載のランドセルの肩掛けベルト。
【請求項１５】
上記立体メッシュ素材が、表層と裏層の間に多数の弾性繊維を縦方向に立ち上げた状態で編み込んでなることを特徴とする請求項１２，１３または１４記載のランドセルの肩掛けベルト。
【発明の詳細な説明】
【０００１】
【発明の属する技術分野】
本発明は、ランドセル、その背当て板および肩掛けベルトに関する。
【０００２】
【従来の技術】
従来より、ランドセルの背負い心地を良くするための試みが多く行われており、たとえば、ランドセルの肩掛けベルトを、登山用のリュックサックのようにＳ字状にしたり、あるいは、本出願人が特許願２００２−２２７７３１号として提案しているように、肩に当接する部分に長孔を開口させることによって、肩掛けベルトを児童の肩の形に沿って変形しやすくしている例がある。
【０００３】
また、ランドセルに収納される教材の大型化に伴う重量増加による児童の負担を軽減するため、ランドセルの背当て板の下部に発泡ウレタン等からなるクッション層を内包させて、横長の膨出部を形成したり、あるいは、さらにその背当て板の左右側部にもクッション層を内包させて縦長の膨出部をも形成することにより、児童の背骨、特に腰部を十分に保護するようにしたものがある。
【０００４】
【発明が解決しようとする課題】
しかしながら、これらの肩掛けベルトや背当て板も、児童がランドセルを背負ったまま駆けだした場合等に加わる大きな衝撃を十分に緩衝することはできず、背中に痛みを感じさせるとか、ランドセルに収納している鉛筆の芯が折れてしまうということがあり、そのクッション性（耐衝撃性）については必ずしも十分とはいえなかった。
クッション性を高めるためには、肩掛けベルトや背当て板に内包させたクッション層の厚さを厚くすればよいようにも思われるが、クッション層を厚くすることには以下の問題がある。
【０００５】
すなわち、クッション層をあまり厚くすると、肩掛けベルトは硬く曲げにくいものになってしまう。特に、ランドセルを店頭展示するときや箱に梱包するときには、図１の（イ）に示したように、肩掛けベルトを蓋の部分のカーブに沿わせて、本来の使用時とは逆側に反らすことが行われ、このときクッション層内部に生ずる応力により、該クッション層の特定の箇所に折り癖がつき、さらには、牛革あるいは人工皮革製の表地に折り目が付いてしまい、商品価値を低下させてしまうことが頻繁にあった。
また、該肩掛けベルトの肩に当接する面の平坦性が損なわれ、肩から脇腹にかけてのフィット性（装着感，身体への密着性）が悪化し、また、クッション層自体の通気性が悪いので蒸れてしまうという問題があった。
【０００６】
背当て板についても、上記膨出部に内包させるクッション層を厚くすると、背中に馴染まず、フィット性を損なってしまうことがあった。また、最初は馴染んでいても、成長に伴い膨出部の位置が背中の凹凸に合わなくなってしまいやすい。しかも、肩掛けベルトの場合と同様、通気性が悪くなり、蒸れやすくなってしまう。
【０００７】
そこで、本発明は、クッション性およびフィット性が高く、しかも、通気性の高い背当て板，肩掛けベルトおよびそれらを備えたランドセルを提供することを目的とする。
【０００８】
【課題を解決するための手段】
請求項１記載の本発明ランドセルは、下地ボード１の外面側の所要部分に、内部に空隙を有する立体メッシュ素材αを所要形状に裁断してなる支持層３を重合配置し、それらをカバーシート４で外面側から被覆して、外面に膨出部７を形成した背当て板を備えてなる。
【０００９】
請求項２記載の本発明ランドセルは、カバーシート１０と表地１１との間に、クッション層８を挟み込むとともに、そのクッション層８と上記カバーシート１０との間の所要位置に、内部に空隙を有する立体メッシュ素材αを所要形状に裁断してなる支持層９を挟み込むことによって、上記カバーシート１０の側に膨出部１２を形成した肩掛けベルトを備えてなる。
【００１０】
請求項３記載の本発明ランドセルは、下地ボード１の外面側の所要部分に、内部に空隙を有する立体メッシュ素材αを所要形状に裁断してなる支持層３を重合配置し、それらをカバーシート４で外面側から被覆して、外面に膨出部７を形成した背当て板と、カバーシート１０と表地１１との間に、クッション層８を挟み込むとともに、そのクッション層８と上記カバーシート１０との間の所要位置に、内部に空隙を有する立体メッシュ素材αを所要形状に裁断してなる支持層９を挟み込むことによって、上記カバーシート１０の側に膨出部１２を形成した肩掛けベルトとを備えてなる。
【００１１】
請求項４記載の本発明は、上記立体メッシュ素材αが、表層と裏層の間に多数の弾性繊維α′を縦方向に立ち上げた状態で編み込んでなる請求項１，２または３記載のランドセルである。
【００１２】
請求項５記載の本発明ランドセルの背当て板は、下地ボード１の外面側の所要部分に、内部に空隙を有する立体メッシュ素材αを所要形状に裁断してなる支持層３を重合配置し、それらをカバーシート４で外面側から被覆することによって、外面に膨出部７を形成してなる。
【００１３】
請求項６記載の本発明は、上記膨出部７が、左右両側部分に形成されている請求項５記載のランドセルの背当て板である。
【００１４】
請求項７記載の本発明は、上記膨出部７が、左右両側部分および下辺縁に、全体として略Ｕ字状にして形成されている請求項５記載のランドセルの背当て板である。
【００１５】
請求項８記載の本発明は、上記下地ボード１と支持層３との間にクッション層２を重合している請求項５，６または７記載のランドセルの背当て板である。
【００１６】
請求項９記載の本発明は、上記カバーシート４の、上記膨出部７に対応する箇所に所要数の透孔を開設している請求項５，６，７または８記載のランドセルの背当て板である。
【００１７】
請求項１０記載の本発明は、上記支持層３とカバーシート４との間にクッション層２を重合している請求項５，６または７記載のランドセルの背当て板である。
【００１８】
請求項１１記載の本発明は、上記立体メッシュ素材αが、表層と裏層の間に多数の弾性繊維α′を縦方向に立ち上げた状態で編み込んでなる請求項５，６，７，８，９または１０記載のランドセルの背当て板である。
【００１９】
請求項１２記載の本発明ランドセルの肩掛けベルトは、カバーシート１０と表地１１との間に、クッション層８を挟み込むとともに、そのクッション層８と上記カバーシート１０との間の所要位置に、内部に空隙を有する立体メッシュ素材αを所要形状に裁断してなる支持層９を挟み込むことによって、上記カバーシート１０の側に膨出部１２を形成してなる。
【００２０】
請求項１３記載の本発明は、上記クッション層８が、幅広部８ａの長手方向両側に、幅細の背環巻回部８ｂと、同じく幅細の小ベルト緊締部８ｃとを延長形成した帯状のもので、上記支持層９が、該クッション層８の上記幅広部８ａに重合配置されている請求項１２記載のランドセルの肩掛けベルトである。
【００２１】
請求項１４記載の本発明は、上記カバーシート１０の、上記膨出部１２に対応する箇所に所要数の透孔１３…を開設している請求項１２または１３記載のランドセルの肩掛けベルトである。
【００２２】
請求項１５記載の本発明は、上記立体メッシュ素材αが、表層と裏層の間に多数の弾性繊維α′を縦方向に立ち上げた状態で編み込んでなる請求項１２，１３または１４記載のランドセルの肩掛けベルトである。
【００２３】
【発明の実施の形態】
以下にはまず、本発明に係る、ランドセルの背当て板の一実施形態について説明する。
１は、方形の下地ボードで、それは、合成樹脂を含浸させて圧縮したボール紙，ベニヤ板，パーティクルボード，あるいは，縫い糸が通る程度の軟質の合成樹脂板等からなるものである。
【００２４】
２，２は、上記下地ボード１の外面側の左右両側部分に重合接着された弾力性を有するクッション層で、それは、ウレタン，ポリスチレン，ポリプロピレン，ポリエチレン等の合成樹脂発泡体βを３〜５ｍｍ程度の厚みにして、略三角形状に裁断してなるものである。
【００２５】
３，３は、上記クッション層２，２のさらに外面側に重合接着された、略三角形状の支持層で、それは、いわゆる立体メッシュ素材α、すなわち表層と裏層の間に多数の弾性繊維α′を縦方向（該立体メッシュ素材αの厚さ方向）に立ち上げた状態で編み込んで、内部に空隙をもたせた構造を有する天然素材製または合成樹脂等製の素材（図６）を裁断して得たものである。
【００２６】
この立体メッシュ素材αは、上記多数の弾性繊維α′の間に十分な空隙を有しているから、通気性，吸湿性，透湿性等に優れているだけでなく、変形しやすくクッション性が高いものである。すなわち、内部に十分な空隙を有するので、加えられる力の大小にかかわらず変形抵抗が小さく、自在に変形するものになっており、上記クッション層２，２に用いた合成樹脂発泡体βと比べると、瞬間的に大きな力が加わった時にも衝撃，振動を吸収して緩衝作用を奏するものである。
【００２７】
上記合成樹脂発泡体βの場合は、徐々に外力Ｆを加えてゆくと、周囲の領域までが連続的に変形し（図７（ａ））、その力Ｆが一定の大きさを超えたときに特定の箇所で折れ、そこに折り癖がついてしまう（図７（ｂ））が、これに対して、立体メッシュ素材αは、応力分散性に優れ、外力Ｆを加えると、特定の箇所の弾性繊維α′が変形してその力を吸収し、周囲の領域まで連続的に変形しないものと認められ（図６）、また、大きな外力を加えて折った場合にも、折り癖がつきにくいものとなっている。それは、内部に十分な空隙を有しているために、変形の際に内圧が高くなりすぎることがないからであると考えられる。
【００２８】
また、立体メッシュ素材αは、変形した際の復元力も、上記合成樹脂発泡体βよりも小さいので、変形されたままの形状を小さな外力を加えるだけで保つことができるとともに、その加えられた外力が取り除かれると速やかに元の形状に復元する。したがって、この支持層３，３は、身体に当接したときに、その形状に追従して変形しやすく、身体へのフィット性が高いものである。
【００２９】
さらに、この立体メッシュ素材αは汗による変質や自然環境下における経年劣化、たとえば硬化や弾性の低下が起こりくく、当初の特性を長期間維持するものであり、また、上記クッション層２，２に重合接着したときに、すべりがおきにくく互いの位置がずれにくいものでもある。
【００３０】
上記の立体メッシュ素材αからなる支持層３，３の厚さは、１〜２０ｍｍ程度、好ましくは３〜１０ｍｍ程度とするのがよいが、それは、２〜５ｍｍ程度の薄手の立体メッシュ素材αを複数枚重ねて構成するようにしてもよいし、厚手の単一の立体メッシュ素材αより構成してもよい。異なる特性を持つ立体メッシュ素材αを適宜重ねて構成するようにすれば、所望の緩衝作用等をもつように調整することが容易にできる。
【００３１】
４は、柔軟なカバーシートで、従来公知の天然皮革や人工皮革よりなるものである。
【００３２】
５は、上記下地ボード１、クッション層２，２、支持層３，３およびカバーシート４の左右辺縁および下辺縁に接着，縫合され、それらを一体にして固定しているヘリ巻きである。
【００３３】
本発明背当て板Ａは、上記下地ボード１の外面側の左右両側部分に上記クッション層２，２を重合配置し、さらにそのクッション層２，２の外面側に立体メッシュ素材αからなる上記支持層３，３を重合し、それらを上記カバーシート４で外面側から被覆して所要箇所を適宜接着，縫合することによって、外面の上記支持層３を配置した部分に、周囲よりも肉厚にした膨出部７，７を形成してなるものである。
【００３４】
この背当て板Ａを備えたランドセルを背負った時には、上記膨出部７，７が背中の左右部分に当接する状態となる。
したがって、この背当て板Ａは、背中に局部的に加わる力を上記膨出部７，７内のクッション層２，２に緩衝させてソフトな感触を与えることができるだけでなく、その膨出部７，７内の支持層３，３が背中の凹凸形状に倣ってすばやく変形するので、背中にフィットする。しかも、その支持層３は変形した際の復元力が小さいので、ランドセルが背中に安定して密着する。すなわち、フィット性が高い。
【００３５】
また、ランドセルが大きく揺れたり、衝撃力が加わったときには、背中に密着した状態の支持層３，３がさらに局部的に変形して、そのエネルギーを吸収し、使用者の負担を軽減する。また、その衝撃力が取り除かれ、落ち着くと、速やかに装着時の凹凸形状まで戻り、身体にフィットする。
しかも、支持層３，３は、通気性に優れるので、汗により蒸れたりベタついたりしにくい。
その他、軽量であるから使用者の負担が軽いという利点もある。
【００３６】
なお、上記背当て板Ａは、略三角形状に裁断したクッション層２，２および支持層３，３を、左右両側部分に重合することによって上記膨出部７，７を形成したものとしたが、その膨出部７，７の形状や位置は、上記クッション層２，２および支持層３，３自体の形状や、それを重合する位置を変えることにより、適宜変更することができる。
【００３７】
たとえば、膨出部を、背当て板Ａの左右両側部分だけでなく、その下辺縁にも形成して全体として略Ｕ字状にしてもよい（図示しない）。この場合、背当て板Ａの中央部と背中とは直接当接しないか、あるいは当接しても軽く当たるだけとなるので、高い通気性を確保することができる。しかも、背当て板Ａの左右両側および下辺縁を背中に当接させることができ、ランドセルを安定して背負うことができる。
また、左右両側の膨出部７，７を省略して下辺縁のみに形成するとか、背当て板Ａの全面に形成するとか、あるいは、複数の矩形状等の膨出部を所要の配列にして形成する等ということもできる。
【００３８】
次に、本発明に係る、ランドセルの肩掛けベルトの一実施形態について説明する。
【００３９】
８は、幅広部８ａの長手方向両側に、幅細の背環巻回部８ｂと、同じく幅細の小ベルト緊締部８ｃとを延長形成した帯状のクッション層で、それは、上記背当て板Ａのクッション層２，２と同じく、合成樹脂発泡体βを裁断して得たものである。
【００４０】
９は、上記クッション層８の幅広部８ａに重合接着された、該幅広部８ａと略同形の支持層である。それは、上記背当て板Ａの支持層３，３に用いた２〜５ｍｍ程度の薄手の立体メッシュ素材αを、裁断してなるものである。
したがって、立体メッシュ素材αから背当て板Ａの上記支持層３，３を裁断して得るとともに、その残りの部分からこの支持層９を得ることができるので、材料の節約をすることができる。
【００４１】
１０は、上記クッション層８よりもやや大きく裁断したカバーシートで、これは、上記背当て板Ａのカバーシート４と同じく天然皮革や人工皮革よりなる柔軟なものである。
【００４２】
１１は、上記クッション層８と略同形同大に裁断された、天然皮革または合成皮革製の表地である。
【００４３】
本発明肩掛けベルトＢは、上記カバーシート１０と表地１１との間に、上記クッション層８を挟み込むとともに、そのクッション層８と上記カバーシート１０との間の、上記幅広部８ａの位置に、立体メッシュ素材αからなる上記支持層９を挟み込むことによって、該カバーシート１０の側に、周囲よりも肉厚にした膨出部１２を形成しているものである。
【００４４】
この肩掛けベルトＢを備えたランドセルを背負ったときには、該肩掛けベルトＢの上記膨出部１２が肩に当接する状態となる。このとき、膨出部１２内の支持層９が変形するので、肩にフィットする。
【００４５】
ランドセルを背負った状態で、児童が走ったりすると大きい衝撃力が繰り返し加わるが、膨出部１２内の支持層９の変形により衝撃を吸収することができる。
【００４６】
また、膨出部１２にはクッション層８と支持層９とが重合されているから、その部分は従来の肩掛けベルトよりも厚みを有するが、上記支持層９内部の空隙が十分あるので、該肩掛けベルトＢを折り曲げたときに発生する歪みや膨らみは、該支持層９が吸収し、クッション層８や表地１１に折り目が付いて商品価値を低下させてしまうというようなことがない。
【００４７】
上記背当て板Ａと肩掛けベルトＢとを共に備えたランドセルは、いずれの方向に振れる場合でも衝撃を吸収するので、フィット性、クッション性、振動抑制効果が高くなる。
【００４８】
なお、必要に応じ、上記背当て板Ａのカバーシート４、および肩掛けベルトＢのカバーシート１０の上記膨出部７，１２に対応する箇所に、図１〜３において仮想線で示したような適宜の形状の透孔１３…を所要数だけ開設するのが好ましい。
透孔１３…を開設することにより、通気性がより向上するから、肩や背中が蒸れることがなく、肌の弱い児童でも、汗疹等を防止できる。
【００４９】
また、上記クッション層２，８と支持層３，９の位置を入れ替えて、上記カバーシート４，１０の側にクッション層２，８を配置するようにしてもよい（図示しない）。
【００５０】
上記において、クッション層２，８は、合成樹脂発泡体βより形成するものとしたが、天然繊維や合成繊維の不織布製でクッション性のある他の素材を用いて形成してもよい。同様に、支持層３，９は、立体メッシュ素材α製のものとしたが、これに代え、同等の通気性、フィット性、クッション性等を有する各種の素材より形成してもよいこと明らかである。
【００５１】
その他、上記クッション層２，８を省略して、背当て板Ａの下地ボード２とカバーシート４の間、あるいは肩掛けベルトＢの表地１１とカバーシート１０の間に、所要の厚さにした支持層３，９のみを挟み込むようにしてもよい。この場合、支持層３，９の一部の厚さを厚くすることによって、カバーシート４，１０側に突出する膨出部を形成するのがよい。
【００５２】
【発明の効果】
以上述べたところから明らかなように、本発明ランドセルは、下地ボードの外面側の所要部分に、内部に空隙を有する立体メッシュ素材を所要形状に裁断してなる支持層を重合配置し、それらをカバーシートで外面側から被覆して、外面に膨出部を形成した背当て板、および／または、カバーシートと表地との間に、クッション層を挟み込むとともに、そのクッション層と上記カバーシートとの間の所要位置に、内部に空隙を有する立体メッシュ素材を所要形状に裁断してなる支持層を挟み込むことによって、上記カバーシートの側に膨出部を形成した肩掛けベルトを備えてなるので、フィット性、クッション性、振動抑制効果が高い。
【００５３】
本発明ランドセルの背当て板は、下地ボードの外面側の所要部分に、内部に空隙を有する立体メッシュ素材を所要形状に裁断してなる支持層を重合配置し、それらをカバーシートで外面側から被覆することによって、外面に膨出部を形成してなるので、児童の背中にフィットし、しかもランドセルの振動，衝撃を十分緩和する。
【００５４】
また、本発明ランドセルの肩掛けベルトは、カバーシートと表地との間に、クッション層を挟み込むとともに、そのクッション層と上記カバーシートとの間の所要位置に、内部に空隙を有する立体メッシュ素材を所要形状に裁断してなる支持層を挟み込むことによって、上記カバーシートの側に膨出部を形成してなるので、児童の肩にフィットし、しかも肩にかかる荷重を分散し、振動，衝撃を十分緩和する。
【図面の簡単な説明】
【図１】本発明ランドセルの斜視図である。
【図２】本発明肩掛けベルトの平面図である。
【図３】上記肩掛けベルトの分解斜視図である。
【図４】図１のＩ−Ｉ線断面図である。
【図５】図２のＩＩ−ＩＩ線断面図である。
【図６】立体メッシュ素材に外力を加えたときの変形の様子を示す斜視図である。
【図７】（ａ），（ｂ）はそれぞれ、合成樹脂発泡体に外力を加えたときの変形の様子を示す斜視図である。
【符号の説明】
Ａ      ランドセルの背当て板
Ｂ      ランドセルの肩掛けベルト
α      立体メッシュ素材
α′    弾性繊維
１      下地ボード
２，８  クッション層
３，９  支持層
４，１０  カバーシート
７，１２      膨出部
８ａ    幅広部
８ｂ    背環巻回部
８ｃ    緊締部
１１    表地
【図１】
2004357893.tif 000003
【図２】
2004357893.tif 000004
【図３】
2004357893.tif 000005
【図４】
2004357893.tif 000006
【図５】
2004357893.tif 000007
【図６】
2004357893.tif 000008
【図７】
2004357893.tif 000009